(57)【要約】      （修正有）【課題】高い色再現性を実現することが可能な表示装置および電子機器を提供する。【解決手段】絶縁性液体３１中に、選択的な光学的透過特性を有する２種以上の泳動粒子３２と、繊維状構造体により形成され、光透過性を有すると共に、表示面Ｓ１側に配置された第１層と、泳動粒子３２とは異なる光学的反射特性を有すると共に、背面Ｓ２側に配置された第２層とを含む多孔質層３３とを備える。【選択図】図１
2017156569.tif 000002
【特許請求の範囲】
【請求項１】
絶縁性液体中に、
選択的な光学的透過特性を有する２種以上の泳動粒子と、
繊維状構造体により形成され、光透過性を有すると共に、表示面側に配置された第１層と、前記泳動粒子とは異なる光学的反射特性を有すると共に、背面側に配置された第２層とを含む多孔質層と
を備えた表示装置。
【請求項２】
前記多孔質層の膜厚（Ｗ0）に対する前記第１層の膜厚（Ｗ1）は、前記多孔質層の膜厚（Ｗ0）／前記泳動粒子の種数である、請求項１に記載の表示装置。
【請求項３】
前記２種以上の泳動粒子は、互いに異なる泳動速度を有する、請求項１に記載の表示装置。
【請求項４】
前記泳動粒子として、互いに泳動速度の異なる３種類の泳動粒子を用いた場合、
前記３種類の泳動粒子の中で１番速く移動する泳動粒子の泳動速度をＶ１、２番目に速く移動する泳動粒子の泳動速度をＶ２、３番目に速く移動する泳動粒子の泳動速度をＶ３とすると、
前記多孔質層の膜厚（Ｗ0）に対する前記第１層の膜厚（Ｗ1）は、Ｗ0×（Ｖ２／Ｖ１）およびＷ0×（Ｖ３／Ｖ２）のうちの大きい方の数値である、請求項１に記載の表示装置。
【請求項５】
前記２種以上の泳動粒子は、同じ電荷を有すると共に互いに異なる帯電量を有する、請求項１に記載の表示装置。
【請求項６】
前記第２層は、前記泳動粒子とは異なる光学的反射特性を有する非泳動粒子を含む、請求項１に記載の表示装置。
【請求項７】
前記第１層は、可視光を反射しない粒子を含む、請求項１に記載の表示装置。
【請求項８】
前記可視光を反射しない粒子は、粒径が２５０ｎｍ以下のチタニア（ＴｉＯ2）である、請求項７に記載の表示装置。
【請求項９】
前記２種以上の泳動粒子は、シアン色、マゼンダ色、黄色、緑色、青色、白色および黒色のうちの１色または２色以上から選択された色を有する、請求項１に記載の表示装置。
【請求項１０】
前記非泳動粒子は、前記繊維状構造体によって保持されている、請求項６に記載の表示装置。
【請求項１１】
表示装置を備え、
前記表示装置は、絶縁性液体中に、
選択的な光学的透過特性を有する２種以上の泳動粒子と、
繊維状構造体により形成され、光透過性を有すると共に、表示面側に配置された第１層と、前記泳動粒子とは異なる光学的反射特性を有すると共に、背面側に配置された第２層とを含む多孔質層と
を有する電子機器。
【発明の詳細な説明】
【技術分野】
【０００１】
本開示は、電気泳動現象を利用して表示を行う表示装置および電子機器に関する。
【背景技術】
【０００２】
電気泳動現象を利用した電気泳動型ディスプレイにおいて彩度および明度の高いカラー表示を実現するためには、表示色以外の色を有する着色粒子を隠蔽する必要がある。表示色以外の色を有する着色粒子を隠蔽する方法としては、例えば、着色粒子の拡散反射率を高くして粒子濃度を濃くする方法がある。また、着色粒子の濃度分布のピークが表示面側から表示したい色を有する着色粒子、白色粒子、その他の色の粒子という順に配置する方法がある。この方法では、表示したい色を有する着色粒子で選択された光は白色粒子で拡散反射される。これにより、着色粒子が有する表示したい色を表示することができるが、所望の粒子分布の順列を実現するためには複雑な駆動が必要となる。
【０００３】
このため、簡単な駆動で上記粒子分布の順列を実現すること方法が検討され、一例として、光隠蔽性の高い非泳動白色粒子を透明電極から裏面電極までの空間に配置すると共に、泳動速度に差のある着色粒子を用いる電気泳動ディスプレイの構成が見出されている。この電気泳動ディスプレイでは、所望の色を有する粒子とその他の色を有する粒子との距離を広げ易くなると共に、その他の色を有する粒子は、非泳動白色粒子によって効率よく隠蔽される。具体的には、例えば、特許文献１において、電気泳動粒子として互いに色および泳動を開始する閾値電圧が異なる複数種類の帯電粒子と、電気泳動粒子を保持するための白色の保持体とを用いた画像表示装置が開示されている。
【先行技術文献】
【特許文献】
【０００４】
【特許文献１】特開２０１２−１８１５０７号公報
【０００５】
ところで、カラー表示が可能な電気泳動型ディスプレイには、高い明度および彩度の他に、高い色再現性が求められている。
【発明の概要】
【発明が解決しようとする課題】
【０００６】
高い色再現性を実現することが可能な表示装置および電子機器を提供することが望ましい。
【課題を解決するための手段】
【０００７】
本開示の一実施の形態に係る表示装置は、絶縁性液体中に、選択的な光学的透過特性を有する２種以上の泳動粒子と、繊維状構造体により形成され、光透過性を有すると共に、表示面側に配置された第１層と、泳動粒子とは異なる光学的反射特性を有すると共に、背面側に配置された第２層とを含む多孔質層とを備えたものである。
【０００８】
本開示の一実施の形態に係る電子機器は、上記本開示の一実施の形態に係る表示装置を有するものである。
【０００９】
本開示の一実施の形態に係る表示装置および一実施の形態に係る電子機器では、多孔質層を複数の層から構成し、表示面側に光透過性を有する層（第１層）を配置することにより、表示したい色を有する泳動粒子が、泳動粒子とは異なる光反射特性を有する多孔質層（第２層）によって隠蔽されることによる彩度の低下を防ぐことが可能となる。
【発明の効果】
【００１０】
本開示の一実施の形態に係る表示装置および一実施の形態に係る電子機器によれば、多孔質層を複数の層から構成し、表示面側に光透過性を有する層（第１層）を配置するようにしたので、彩度の高い色表示が可能となる。即ち、色再現性の高い表示装置および電子機器を提供することが可能となる。なお、ここに記載された効果は必ずしも限定されるものではなく、本開示中に記載されたいずれの効果であってもよい。
【図面の簡単な説明】
【００１１】
【図１】本開示の一実施の形態に係る表示装置の構成を表す断面図である。
【図２】図１に示した表示装置の平面模式図である。
【図３】図１に示した電気泳動素子を説明する平面模式図である。
【図４Ａ】図１に示した表示装置の動作を説明するための断面図である。
【図４Ｂ】図１に示した表示装置の動作を説明するための断面図である。
【図５】図１に示した表示装置の背面側の表示面側に対する電位差の時間変化を表す図である。
【図６】図５に示した電位差の時間変化による各泳動粒子の平均位置の時間変化を表す図である。
【図７Ａ】適用例１の外観を表す斜視図である。
【図７Ｂ】図７Ａに示した電子ブックの他の例を表す斜視図である。
【図８】適用例２の外観を表す斜視図である。
【図９Ａ】適用例３の外観の一例を表す斜視図である。
【図９Ｂ】適用例３の外観の他の例を表す斜視図である。
【発明を実施するための形態】
【００１２】
以下、本開示における一実施形態について、図面を参照して詳細に説明する。なお、説明する順序は、下記の通りである。
１．実施の形態（表示面側に光透過性を有する多孔質層が設けられた例）
１−１．表示装置の構成
１−２．表示装置の製造方法
１−３．表示装置の動作
１−４．作用・効果
２．適用例（電子機器）
【００１３】
＜１．実施の形態＞
図１は、本開示の一実施の形態の表示装置（表示装置１）の断面構成を表したものである。図２は、表示装置１の主要部の平面構成を模式的に表したものである。図１は、図２におけるＩ−Ｉ線に沿った断面を示している。この表示装置１は、電気泳動現象を利用してコントラストを生じさせる電気泳動型ディスプレイであり、表示素子として、電気泳動素子（電気泳動素子３０）が用いられている。この表示装置１は、例えば、スペーサ４０を介して対向配置された駆動基板１０と対向基板２０との間に、表示体として電気泳動素子３０を備えたものである。電気泳動素子３０は、絶縁性液体３１中に、複数種類の泳動粒子３２と、繊維状構造体３３１により構成される多孔質層３３とを含んで構成されている。本実施の形態では、多孔質層３３は、複数の層（ここでは、２層（多孔質層３３Ａ，３３Ｂ））からなり、表示面Ｓ1側には光透過性を有する多孔質層３３Ａが配置された構成を有する。なお、図１，２は表示装置１の構成を模式的に表したものであり、実際の寸法、形状とは異なる場合がある。
【００１４】
（１−１．表示装置の構成）
表示装置１は、例えば、図１に示したように、駆動基板１０と対向基板２０とが電気泳動素子３０を間に対向配置されたものであり、対向基板２０側に表示面Ｓ1を有している。この「対向基板２０側に表示面を有する」とは、対向基板２０側に向かって画像を表示する（ユーザが対向基板２０側から画像を視認可能である）という意味である。また、駆動基板１０と電気泳動素子３０との間および対向基板２０と電気泳動素子３０との間には、それぞれ接着層１６，接着層２３が設けられており、これによって、駆動基板１０および対向基板２０と電気泳動素子３０とが貼り合わされている。
【００１５】
駆動基板１０は、例えば、支持基体１１の一面に薄膜トランジスタ（Thin Film Transistor；ＴＦＴ）１２と、保護層１３と、平坦化絶縁層１４と、画素電極１５とがこの順に形成されたものである。ＴＦＴ１２および画素電極１５は、例えば、画素パターン等に応じてマトリクス状またはセグメント状に分割配置および分割形成されている。
【００１６】
支持基体１１は、例えば、無機材料，金属材料またはプラスチック材料等により構成されている。無機材料としては、例えば、ケイ素（Ｓｉ）、酸化ケイ素（ＳｉＯX）、窒化ケイ素（ＳｉＮX）または酸化アルミニウム（ＡｌＯX）等が挙げられる。酸化ケイ素には、ガラスまたはスピンオングラス（ＳＯＧ）等が含まれる。金属材料としては、例えば、アルミニウム（Ａｌ）、ニッケル（Ｎｉ）またはステンレス等が挙げられ、プラスチック材料としては、例えば、ポリカーボネート（ＰＣ）、ポリエチレンテレフタレート（ＰＥＴ）、ポリエチレンナフタレート（ＰＥＮ）、ポリエチルエーテルケトン（ＰＥＥＫ）、シクロオレフィンポリマー（ＣＯＰ）、ポリイミド（ＰＩ）またはポリエーテルサルフォン（ＰＥＳ）等が挙げられる。
【００１７】
この支持基体１１は、光透過性でもよいし、非光透過性でもよい。対向基板２０側に画像が表示されるため、支持基体１１は必ずしも光透過性である必要がないからである。支持基体１１は、ウェハ等の剛性を有する基板でもよいし、可撓性を有する薄層ガラスまたはフィルム等により構成してもよい。支持基体１１に可撓性材料を用いることにより、フレキシブル（折り曲げ可能）な表示装置１を実現できる。
【００１８】
ＴＦＴ１２は、画素を選択するためのスイッチング用素子である。このＴＦＴ１２は、チャネル層としての無機半導体層を用いた無機ＴＦＴでもよいし、有機半導体層を用いた有機ＴＦＴでもよい。無機半導体層の材料としては、例えば、アモルファスシリコン、ポリシリコンまたは酸化物等が挙げられる。有機半導体層の材料としては、ペンタセン等が挙げられる。保護層１３および平坦化絶縁層１４は、例えば、ポリイミド等の絶縁性樹脂材料により構成されている。保護層１３の表面が十分に平坦であれば、平坦化絶縁層１４を省略することも可能である。画素電極１５は、例えば、金（Ａｕ）、銀（Ａｇ）または銅（Ｃｕ）等の金属材料により形成されている。画素電極１５は、保護層１３および平坦化絶縁層１４に設けられたコンタクトホール（図示せず）を通じてＴＦＴ１２に接続されている。
【００１９】
なお、図１では、例えば、ＴＦＴ１２が後述するセル３６ごとに配置されている（１つのセル３６に対して１つのＴＦＴ１２が設けられている）場合を示している。しかしながら、必ずしもこれに限られず、セル３６およびＴＦＴ１２のそれぞれの個数および位置関係は任意でよい。例えば、３つのセル３６に対して２つのＴＦＴ１２が配置されていてもよいし、セル３６の範囲内に隣り合う２つのＴＦＴ１２間の境界が位置してもよい。
【００２０】
接着層１６は、駆動基板１０と隔壁ユニット３８とを貼り合わせるものであり、例えば、アクリル系樹脂、ウレタン系樹脂またはゴム等により構成され、膜厚は、例えば１μｍ〜１００μｍである。
【００２１】
対向基板２０は、例えば、支持基体２１および対向電極２２を有しており、支持基体２１の全面（駆動基板１０との対向面）に対向電極２２が設けられている。対向電極２２は、画素電極１５と同様に、マトリクス状またはセグメント状に配置するようにしてもよい。
【００２２】
支持基体２１は、光透過性であることを除き、支持基体１１と同様の材料により構成されている。対向電極２２には、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）等の光透光性導電性材料（透明電極材料）により形成されている。支持基体２１の膜厚は、例えば１μｍ〜２５０μｍである。
【００２３】
対向基板２０側に画像を表示する場合には、対向電極２２を介して表示装置（電気泳動素子３０）を見ることになるため、対向電極２２の光透過性（透過率）は、できるだけ高いことが好ましく、例えば、８０％以上である。このような材料としては、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）等が挙げられる。対向電極２２の膜厚は、例えば０．００１μｍ〜１μｍである。また、対向電極２２の電気抵抗は、できるだけ低いことが好ましく、例えば、１００Ω／□以下である。なお、対向電極２２は、図１では支持基体２１の一面に全面形成された例を示したが、画素電極１５と同様に、例えば画素毎に分割形成されていてもよい。
【００２４】
接着層２３は、対向基板２０と隔壁ユニット３８（特に、隔壁３５）とを貼り合わせるものであり、例えば、アクリル系樹脂、ウレタン系樹脂またはゴムにより構成され、膜厚は、例えば１μｍ〜１００μｍである。
【００２５】
なお、ここでは、接着層２３を対向電極２２の全面に設けた例を示したが、隔壁３５との接触部分にのみ設けるようにしてもよい。また、対向基板２０上には、シール層やカラーフィルタが積層されていてもよい。更に、対向基板２０としては導電層を有するフィルムを用いてもよい。更にまた、支持基体２１の表示面側に、水分等の浸入を防ぐ防湿フィルム等を設けてもよい。
【００２６】
電気泳動素子３０は、図１および図３に示したように、絶縁性液体３１中に、複数種類の泳動粒子３２（ここでは、３種類、泳動粒子３２Ｃ，３２Ｍ，３２Ｙ）および複数の層からなる多孔質層３３（ここでは、２層、多孔質層３３Ａ，３３Ｂ）を備えている。泳動粒子３２Ｃ，３２Ｍ，３２Ｙは、絶縁性液体３１中に分散されている。多孔質層３３Ａは、繊維状構造体３３１を用いて構成され、光透過性を有している。多孔質層３３Ｂは、繊維状構造体３３１および非泳動粒子３３２を含んで構成され、泳動粒子３２Ｃ，３２Ｍ，３２Ｙとは異なる光学的反射特性を有している。多孔質層３３Ａ，３３Ｂは、それぞれ、１または２以上の細孔３３３を有し、多孔質層３３には、表示面の反対側（駆動基板１０側）から、１または２以上の隔壁３５が隣接されている。
【００２７】
絶縁性液体３１は、例えば、駆動基板１０と対向基板２０との間の空間に充填されている。絶縁性液体３１は、例えば、有機溶媒等の非水溶媒のいずれか１種類または２種類以上によって構成されており、具体的には、パラフィン等の炭化水素系溶媒が挙げられる。絶縁性液体３１の粘度および屈折率は、できるだけ低くすることが好ましい。絶縁性液体３１の粘度を低くすると泳動粒子３２の移動性（応答速度）が向上する。また、これに応じて泳動粒子３２の移動に必要なエネルギー（消費電力）は低くなる。絶縁性液体３１の屈折率を低くすると、絶縁性液体３１と多孔質層３３との屈折率の差が大きくなり、多孔質層３３の反射率が高くなる。なお、絶縁性液体３１の代わりに、微弱導電性液体を用いてもよい。
【００２８】
絶縁性液体３１には、必要に応じて他の各種材料を含んでいてもよい。例えば、着色剤、電荷調整剤、分散安定剤、粘度調整剤、界面活性剤または樹脂等を添加するようにしてもよい。
【００２９】
泳動粒子３２は、電気的に泳動する１または２以上の荷電粒子（電気泳動粒子）であり、電界に応じて絶縁性液体３１中を画素電極１５または対向電極２２に向かって移動することで表示面に画像を表示するものである。この泳動粒子３２は、例えば、有機顔料、無機顔料、顔料、炭素材料、金属材料、金属酸化物、ガラスまたは高分子材料（樹脂）等の粒子（粉末）により構成されている。泳動粒子３２は、これらのうちの１種類を用いてもよく、または２種類以上を用いてもよい。泳動粒子３２を、上記粒子を含む樹脂固形分の粉砕粒子またはカプセル粒子等でもよい。なお、上記炭素材料、金属材料、金属酸化物、ガラスまたは高分子材料に該当する材料は、有機顔料、無機顔料または顔料に該当する材料から除く。泳動粒子３２の粒径は、例えば、１００ｎｍ以上５μｍ以下の範囲である。
【００３０】
本実施の形態の泳動粒子３２は、上記のように、３種類の泳動粒子３２Ｃ，３２Ｍ，３２Ｙを有する。ここでいう種類とは、表示面Ｓ1と背面Ｓ2との間に電位差が生じた際の絶縁性液体３１中における泳動粒子３２の平均泳動速度のことである。泳動粒子３２の泳動速度は、例えば泳動粒子３２の帯電量によって決定され、帯電量が大きいほど泳動速度は速くなる。帯電量は、例えば泳動粒子３２の粒径によって変化し、粒径が大きいほど、その帯電量は大きくなる。
【００３１】
本実施の形態において用いられる３種類の泳動粒子３２Ｃ，３２Ｍ，３２Ｙは、同じ電荷（同一極性）を有する荷電粒子であり、その平均泳動速度は、例えば泳動粒子３２Ｃが最も速く、次いで泳動粒子３２Ｍが速く、泳動粒子３２Ｙが３種類の泳動粒子の中で最も遅い。このため、泳動粒子３２Ｃ，３２Ｍ，３２Ｙの各平均粒径は、例えば、１.８μｍ（泳動粒子３２Ｃ），０．６μｍ（泳動粒子３２Ｍ），０．２μｍ（泳動粒子３２Ｙ）となっている。なお、各泳動粒子３２Ｃ，３２Ｍ，３２Ｙの平均粒径は上記値に限定されるものではなく、例えば、小さい側の泳動粒子を平均粒径ａ1および粒径分散値σ1、大きい側の泳動粒子を平均粒径ａ2および粒径分散値σ2とした場合、ａ1−２σ1＞ａ2＋２σ2の関係であればよい。
【００３２】
泳動粒子３２Ｃ，３２Ｍ，３２Ｙは、それぞれ任意の色光を選択的に透過する透過特性（選択的な光学的透過特性）を有している。泳動粒子３２Ｃ，３２Ｍ，３２Ｙの光学的透過特性は特に限定されないが、少なくとも黒表示の際に多孔質層３３を遮蔽可能となるように設定されることが好ましい。泳動粒子３２Ｃ，３２Ｍ，３２Ｙの選択的な光透過と多孔質層３３の光反射とを利用してコントラストを生じさせるためである。本実施の形態では、泳動粒子３２Ｃ，３２Ｍ，３２Ｙは、それぞれ異なる波長域の光を吸収する。具体的には、泳動粒子３２Ｃは、例えば、シアンの補色光を選択的に吸収して、表示色としてはシアン色を呈する。泳動粒子３２Ｍは、例えば、マゼンダの補色光を選択的に吸収して、表示色としてはマゼンダ色を呈する。泳動粒子３２Ｙは、例えば、黄色の補色光を選択的に吸収して、表示色としては黄色を呈する。
【００３３】
本実施の形態の表示装置１では、泳動粒子３２Ｃ，３２Ｍ，３２Ｙによって、シアン色、マゼンダ色および黄色のカラー表示がなされ、泳動粒子３２Ｃ，３２Ｍ，３２Ｙの減法混色によって黒表示が、後述する多孔質層３３によって白表示がなされる。
【００３４】
泳動粒子３２Ｃ、泳動粒子３２Ｍおよび泳動粒子３２Ｙを構成する材料は、それぞれ対応する色を呈する顔料が挙げられる。具体的な材料としては、例えば、キナクリドン、ペリレン、ペリノン、イソインドリノン、ジオキサジン、イソインドリン、アントラキノン、キノフタロン、ジケトピロロピロール等の多環式顔料、フタロシアニン顔料、アゾイエロレーキ、アゾレーキレッド、ピアゾロン、ジスアゾ、モノアゾ、縮合アゾ、ナフトール、ペンズイミダゾロン等のアゾ顔料、カドミウムイエロー、ストロンチウムクロメート、ビリジアン、オキサイドクロミウム、コバルト青、ウルトラマリン等の無機顔料が挙げられる。これら一連の材料は、単独でもよいし、２種類以上を混合して用いてもよい。
【００３５】
絶縁性液体３１中における泳動粒子３２（３２Ｃ，３２Ｍ，３２Ｙ）の含有量（濃度）は、特に限定されないが、泳動粒子３２全体では、例えば、０．１重量％〜１０重量％であることが好ましい。泳動粒子３２の遮蔽性および移動性が確保されるからである。例えば、泳動粒子３２の含有量が０．１重量％よりも少ないと、泳動粒子３２が多孔質層３３を遮蔽しにくくなり、十分にコントラストを生じさせることができない可能性がある。一方、泳動粒子３２の含有量が１０重量％よりも多いと、泳動粒子３２の分散性が低下するため、その泳動粒子３２が泳動しにくくなり、凝集する虞がある。各色に着色された泳動粒子３２Ｃ，３２Ｍ，３２Ｙの含有量（濃度）は、粒径にもよるが、例えば、最も粒径の大きな泳動粒子３２Ｃでは、０．１重量％〜４重量％、次に大きな泳動粒子３２Ｍでは、０．１重量％〜４重量％、その次に大きな泳動粒子３２Ｙでは、０．１重量％〜４重量％であることが好ましい。ただし、最適な重量％は期待する表示特性、色域、コントラストによってそれぞれの粒子の重量比率を変化させることが望ましい。
【００３６】
泳動粒子３２Ｃ，３２Ｍ，３２Ｙは、絶縁性液体３１中で長期間に渡って分散および帯電しやすく、また、多孔質層３３に吸着しにくいことが好ましい。このため、静電反発により泳動粒子３２Ｃ，３２Ｍ，３２Ｙを分散させるための分散剤（または電荷調整剤）を用いたり、泳動粒子３２Ｃ，３２Ｍ，３２Ｙに表面処理を施してもよく、両者を併用してもよい。
【００３７】
この分散剤または電荷調整剤は、例えば、正、負のどちらか一方、または両方の電荷を有しており、絶縁性液体３１中の帯電量を増加させものである。このような分散剤として、例えば、Lubrizol社製のSolsperceシリーズ、BYK−Chemic社製のBYKシリーズまたはAnti−Terraシリーズ、あるいはTCI America社製Spanシリーズ等が挙げられる。
【００３８】
表面処理は、例えば、ロジン処理、界面活性剤処理、顔料誘導体処理、且つ、プリング剤処理、グラフト重合処理またはマイクロカプセル化処理等である。特に、グラフト重合処理、マイクロカプセル化処理またはこれらを組み合わせて処理を行うことにより、泳動粒子３２Ｃ，３２Ｍ，３２Ｙの長期間の分散安定性を維持することができる。
【００３９】
このような表面処理には、例えば、泳動粒子３２Ｃ，３２Ｍ，３２Ｙの表面に吸着可能な官能基（吸着性官能基）と重合性官能基とを有する材料（吸着性材料）等が用いられる。吸着性官能基は、泳動粒子３２Ｃ，３２Ｍ，３２Ｙの形成材料に応じて決定される。例えば、泳動粒子３２Ｃ，３２Ｍ，３２Ｙがカーボンブラック等の炭素材料により構成されている場合には、４−ビニルアニリン等のアニリン誘導体、泳動粒子３２Ｃ，３２Ｍ，３２Ｙが金属酸化物により構成されている場合には、メタクリル酸３−（トリメトキシシリル）プロピル等のオルガノシラン誘導体をそれぞれ吸着することができる。重合性官能基は、例えば、ビニル基、アクリル基、メタクリル基等である。
【００４０】
泳動粒子３２Ｃ，３２Ｍ，３２Ｙの表面に重合性官能基を導入し、これにグラフトさせて表面処理を行うようにしてもよい（グラフト性材料）。グラフト性材料は、例えば、重合性官能基と分散用官能基とを有している。分散用官能基は、絶縁性液体３１中に泳動粒子３２Ｃ，３２Ｍ，３２Ｙを分散させ、その立体障害により分散性を保持するものである。絶縁性液体３１が例えば、パラフィンである場合、分散用官能基として分岐状のアルキル基等を用いることができる。重合性官能基は、例えば、ビニル基、アクリル基、メタクリル基等である。グラフト性材料を重合およびグラフトさせるためには、例えば、アゾビスイソブチロニトリル（ＡＩＢＮ）等の重合開始剤を用いればよい。この他、泳動粒子３２Ｃ，３２Ｍ，３２Ｙの表面に吸着可能な官能基と分散性を付与するためのアルキル鎖を有する材料を用いることができる。このような材料としては、例えば、チタネート系且つプリング剤（例えば、味の素ファインテクノ株式会社製KR-TTS）およびアルミネート系且つプリング剤が挙げられる。
【００４１】
上記泳動粒子３２Ｃ，３２Ｍ，３２Ｙを絶縁性液体３１中に分散させる方法の詳細については、「超微粒子の分散技術とその評価〜表面処理・微粉砕と気中／液中／高分子中の分散安定化〜（サイエンス＆テクノロジー社）」等の書籍に掲載されている。
【００４２】
多孔質層３３は、図１に示したように、多孔質層３３Ａおよび多孔質層３３Ｂの２層構造を有する。多孔質層３３は、図１や図３に示したように、繊維状構造体３３１により形成された３次元立体構造物（不織布のような不規則なネットワーク構造物）であり、１または２以上の隙間（細孔３３３）を有している。細孔３３３には絶縁性液体３１が満たされており、泳動粒子３２Ｃ，３２Ｍ，３２Ｙはこの細孔３３３を介して画素電極１５と対向電極２２との間を移動する。なお、多孔質層３３は、対向電極２２に隣接していてもよいし、それから離間されていてもよい。なお、図３に示した電気泳動素子３０は多孔質層３３Ｂを簡略化して表したものである。
【００４３】
繊維状構造体３３１は、繊維径（直径）に対して長さが十分に大きい繊維状物質である。繊維状構造体３３１の形状（外観）は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で１または２以上の方向に分岐していてもよい。この繊維状構造体３３１の形成方法は、特に限定されないが、例えば、相分離法、相反転法、静電（電界）紡糸法、溶融紡糸法、湿式紡糸法、乾式紡糸法、ゲル紡糸法、ゾルゲル法またはスプレー塗布法等であることが好ましい。繊維径に対して長さが十分に大きい繊維状物質を容易、且つ、安定に形成しやすいからである。
【００４４】
繊維状構造体３３１の平均繊維径は、特に限定されないが、できるだけ小さいことが好ましい。光が乱反射しやすくなると共に、細孔３３３の平均孔径が大きくなるからである。但し、平均繊維径は、例えば、繊維状構造体３３１が後述する非泳動粒子３３２を保持できる繊維径であることが好ましく、例えば、１０μｍ以下であることが好ましい。なお、平均繊維径の下限は、特に限定されないが、例えば、０．１μｍであり、それ以下でもよい。この平均繊維径は、例えば、走査型電子顕微鏡（ＳＥＭ）等を用いた顕微鏡観察により測定される。なお、繊維状構造体３３１の平均長さは、任意でよい。
【００４５】
繊維状構造体３３１は、ナノファイバーであることが好ましい。ここでナノファイバーとは、繊維径が０．００１μｍ〜０．１μｍであり、長さが繊維径の１００倍以上である繊維状物質である。このようなナノファイバーを繊維状構造体３３１として用いることにより、光が乱反射し易くなり、多孔質層３３の反射率をより向上させることができる。即ち、電気泳動素子３０のコントラストを向上させることが可能となる。また、ナノファイバーからなる繊維状構造体３３１では、単位体積中に占める細孔３３３の割合が大きくなり、細孔３３３を経由して泳動粒子３２が移動し易くなる。従って、泳動粒子３２の移動に必要なエネルギーを小さくすることができる。ナノファイバーからなる繊維状構造体３３１は、静電紡糸法により形成することが好ましい。静電紡糸法を用いることにより繊維径が小さい繊維状構造体３３１を容易に、且つ、安定して形成することができる。
【００４６】
繊維状構造体３３１は、例えば、高分子材料または無機材料等のいずれか１種類または２種類以上によって形成されている。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマー等である。無機材料は、例えば、酸化チタン等である。中でも、繊維状構造体３３１の形成材料としては、高分子材料が好ましい。反応性（光反応性等）が低い（化学的に安定である）ため、繊維状構造体３３１の意図しない分解反応が抑制されるからである。なお、繊維状構造体３３１が高反応性の材料により形成される場合には、その繊維状構造体３３１の表面は任意の保護層により被覆されることが好ましい。
【００４７】
繊維状構造体３３１は、泳動粒子３２Ｃ，３２Ｍ，３２Ｙとは異なる光学的反射特性を有することが好ましい。具体的には、繊維状構造体３３１の光反射率は、特に限定されないが、少なくとも、白表示の際に多孔質層３３が全体として泳動粒子３２Ｃ，３２Ｍ，３２Ｙを隠蔽可能となるように設定されることが好ましい。泳動粒子３２Ｃ，３２Ｍ，３２Ｙの光反射率と、多孔質層３３の光反射率との違いを利用してコントラストを生じさせるためである。但し、本実施の形態では、多孔質層３３は、上記のように、表示面Ｓ1側から多孔質層３３Ａおよび多孔質層３３Ｂがこの順に配置された２層構造を有し、表示面Ｓ1側に配置された多孔質層３３Ａは、光透過性を有する。このため、繊維状構造体３３１自体は、絶縁性液体３１中で光透過性（無色透明）を有することが好ましく、繊維状構造体３３１の反射率、即ち、多孔質層３３全体の反射率は、後述する非泳動粒子３３２により実質的に決定されることが好ましい。
【００４８】
本実施の形態の多孔質層３３は、上記のように、表示面Ｓ1側に光透過性を有する多孔質層３３Ａが配置され、背面Ｓ2側には、光学的反射特性を有する多孔質層３３Ｂが配置された構成を有する。多孔質層３３Ａは、光透過性を有する繊維状構造体３３１によって形成されており、１または２以上の細孔３３３を含むものである。多孔質層３３Ｂは、泳動粒子３２Ｃ，３２Ｍ，３２Ｙとは異なる光学的反射特性を有する１または２以上の非泳動粒子３３２を保持する繊維状構造体によって形成されており、多孔質層３３Ａと同様に、１または２以上の細孔３３３を含むものである。多孔質層３３Ｂを構成する繊維状構造体３３１に非泳動粒子３３２が含まれているのは、外光がより乱反射しやすくなるため、多孔質層３３の光反射率がより高くなるからである。これにより、コントラストがより高くなる。
【００４９】
非泳動粒子３３２は、繊維状構造体３３１に固定されており、電気的に泳動しない１または２以上の粒子である。非泳動粒子３３２は、保持されている繊維状構造体３３１の内部に埋設されていてもよく、あるいは、繊維状構造体３３１から部分的に突出してしてもよい。
【００５０】
非泳動粒子３３２は、泳動粒子３２Ｃ，３２Ｍ，３２Ｙとは異なる光学的反射特性を有している。非泳動粒子３３２の光反射率は、特に限定されないが、少なくとも多孔質層３３が全体として泳動粒子３２Ｃ，３２Ｍ，３２Ｙを隠蔽可能となるように設定されることが好ましい。泳動粒子３２Ｃ，３２Ｍ，３２Ｙの光反射率と多孔質層３３の光反射率との違いを利用してコントラストを生じさせるためである。
【００５１】
ここで、非泳動粒子３３２の具体的な形成材料は、例えば、コントラストを生じさせるために非泳動粒子３３２が担う役割に応じて選択される。例えば、多孔質層３３（具体的には、非泳動粒子３３２）が白表示を担う場合には、例えば、金属酸化物が好ましく、酸化チタンがより好ましい。電気化学的安定性および定着性等に優れていると共に、高い反射率が得られるからである。コントラストを生じさせることができれば、非泳動粒子３３２の形成材料は、泳動粒子３２Ｃ，３２Ｍ，３２Ｙの形成材料と同じ種類でもよいし、違う種類でもよい。なお、非泳動粒子３３２は、粒径の異なる２種類以上の粒子を組み合わせて用いてもよい。
【００５２】
なお、多孔質層３３Ａを構成する繊維状構造体３３１は、可視光を反射しない粒子（非可視光粒子）を含んでいることが好ましい。可視光を反射しない粒子とは、例えば、粒径２５０ｎｍ以下のチタニア（ＴｉＯ2）が挙げられる。繊維状構造体３３１ＴｉＯ2を含有させることにより、多孔質層３３Ａ内における泳動粒子３２Ｃ，３２Ｍ，３２Ｙの保持性能が向上する可能性があるからである。
【００５３】
３次元立体構造物である多孔質層３３Ａ，３３Ｂでは、１本の繊維状構造体３３１がランダムに絡み合っていてもよいし、複数本の繊維状構造体３３１が集合してランダムに重なっていてもよいし、両者が混在していてもよい。
【００５４】
多孔質層３３Ａ，３３Ｂが３次元立体構造物であるのは、細孔３３３の平均孔径が大きくなると共に、その数が多くなるため、泳動粒子３２Ｃ，３２Ｍ，３２Ｙが細孔３３３を通過しやすくなるからである。これにより、泳動粒子３２Ｃ，３２Ｍ，３２Ｙの移動に要する時間が短くなると共に、その泳動粒子３２Ｃ，３２Ｍ，３２Ｙの移動に要するエネルギーも低くなる。また、非泳動粒子３３２を含む多孔質層３３Ｂでは、その不規則な立体構造により外光が乱反射（多重散乱）されやすくなり、多孔質層３３Ｂの光反射率が高くなるからである。これにより、多孔質層３３Ｂの膜厚が薄くても、泳動粒子３２Ｃ，３２Ｍ，３２Ｙとの高いコントラストが得られると共に、泳動粒子３２Ｃ，３２Ｍ，３２Ｙを移動させるために必要なエネルギーを抑えることが可能となる。
【００５５】
細孔３３３は、複数の繊維状構造体３３１が重なり合い、または１つの繊維状構造体３３１が絡まりあうことによって形成されている。細孔３３３の平均孔径は、特に限定されないが、泳動粒子３２Ｃ，３２Ｍ，３２Ｙが細孔３３３を経由して移動しやすいよう、出来だけ大きいことが好ましい。このため、細孔３３３の平均孔径は、０．１μｍ以上１０μｍ以下であることが好ましい。
【００５６】
多孔質層３３の全体の膜厚（Ｗ0）は、特に限定されないが、例えば、５μｍ〜１００μｍであることが好ましい。多孔質層３３の隠蔽性が高くなると共に、泳動粒子３２が細孔３３３を通過しやすくなるからである。多孔質層３３Ａおよび多孔質層３３Ｂの膜厚は、例えば、以下のように決定することが好ましい。例えば、光透過性を有する多孔質層３３Ａの膜厚（Ｗ1）は、多孔質層３３全体の膜厚（Ｗ0）を泳動粒子３２の種数（本実施の形態では、泳動粒子３２Ｃ，３２Ｍ，３２Ｙの３種）で除算（多孔質層３３全体の膜厚（Ｗ0）／前記泳動粒子の種数）した値とすることが好ましい。あるいは、例えば、本実施の形態のように、泳動粒子３２Ｃ，３２Ｍ，３２Ｙの泳動速度が互いに異なる場合には、１番速く移動する泳動粒子３２Ｃの泳動速度をＶ１、２番目に速く移動する泳動粒子３２Ｍの泳動速度をＶ２、３番目に速く移動する泳動粒子３２Ｙの泳動速度をＶ３とすると、多孔質層３３全体の膜厚（Ｗ0）に対する前記第１層の膜厚（Ｗ1）は、Ｗ0×（Ｖ２／Ｖ１）およびＷ0×（Ｖ３／Ｖ２）のうちの大きい方の数値を多孔質層３３Ａの膜厚とすることが好ましい。一方、多孔質層３３Ｂの膜厚（Ｗ2）は、多孔質層３３全体の膜厚（Ｗ0）から上記計算から得られる多孔質層３３Ａの膜厚（Ｗ1）を減算した膜厚となる。これにより、詳細は後述するが、所望の表示色を有する泳動粒子（例えば、泳動粒子３２Ｍ）が表示面Ｓ1からある程度背面Ｓ2側に泳動してしまっても、泳動粒子３２Ｍが多孔質層３３（具体的には、光学的反射特性を有する多孔質層３３Ｂ）によって隠蔽されることを防ぐことが可能となる。
【００５７】
隔壁３５は、絶縁性液体３１中に分散された泳動粒子３２Ｃ，３２Ｍ，３２Ｙの存在可能範囲を仕切り、例えば、図１，図２に示したように、その泳動粒子３２Ｃ，３２Ｍ，３２Ｙを収容する空間（後述するセル３６）を形成するものである。この隔壁３５は、例えば対向基板２０に向かって延在しており、表示面の反対側から多孔質層３３の一部に隣接している。隔壁３５に泳動粒子３２Ｃ，３２Ｍ，３２Ｙを収容することによって、表示装置１の面内において泳動粒子３２Ｃ，３２Ｍ，３２Ｙの偏ることを防ぐことができる。
【００５８】
隔壁３５によって形成されるセル３６の数および配列パターンは、特に限定されない。ただし、複数のセル３６を効率よく配置するために、セル３６はマトリクス状（複数行×複数列の配置）に配列されていることが好ましい。また、セル３６の形状（開口形状）は、特に限定されず、図２に示したように矩形状でもよいし、他の形状（六角形等）でもよい。
【００５９】
隔壁３５の形成材料は、電気泳動素子３０の動作性能等に影響を及ぼさない材料であれば、特に限定されないが、成形加工に優れた樹脂等であることが好ましい。所望の寸法および形状を有する隔壁３５を形成しやすいからである。この樹脂は、例えば、熱可塑性樹脂または光硬化性樹脂等（フォトリソグラフィ用のレジストを含む）であり、それ以外の樹脂でもよい。
【００６０】
なお、隔壁３５の形成材料として樹脂を用いる場合には、その隔壁３５は、例えば、熱可塑性樹脂を用いた熱インプリント法、または光硬化性樹脂を用いた光インプリント法等により形成される。具体的には、熱インプリント法では、例えば、ガラス転移温度以上に加熱された樹脂（高分子材料）にモールド（雌型）がプレスされたのち、冷却後の樹脂からモールドが剥離される。これにより、モールドの形状が樹脂の表面に転写されるため、所望の形状を有する隔壁３５が形成される。このモールドは、例えば、フォトリソグラフィ法により成形されたフォトレジスト膜でもよいし、バイト等の機械加工により成形された金属板等でもよい。
【００６１】
なお、隔壁３５は、駆動基板１０側に連続する支持体３７を有していてもよく、隔壁３５は、この支持体３７によって支持されていてもよい。この場合には、隔壁および支持体３７がユニット化（隔壁ユニット３８）されていてもよい。但し、隔壁３５および支持体３７は、一体化されていてもよいし、別体化されていてもよい。後者の場合、支持体３７は、フィルム等でもよい。
【００６２】
隔壁３５のＸ軸方向の幅は、その延在方向において均一でもよいし、不均一でもよく、例えば、幅は、多孔質層３３に近づくにしたがって次第に小さくなっていることが好ましい。表示面側に向かってセル３６の開口範囲（Ｒ３）が広くなると共に、それに応じて泳動粒子３２の移動不能領域（Ｒ４）が狭くなるため、画像の表示範囲が広くなるからである。隔壁３５の側面の傾斜角度（いわゆるテーパ角度）は、特に限定されないが、例えば、６０°〜９０°、好ましくは７５°〜８５°である。
【００６３】
なお、隔壁３５のピッチおよび高さ等は、特に限定されず、任意に設定可能である。一例を挙げると、隔壁３５のピッチは、３０μｍ〜３００μｍ、好ましくは６０μｍ〜１５０μｍであり、隔壁３５の高さは、１０μｍ〜１００μｍ、好ましくは３０μｍ〜５０μｍである。
【００６４】
また、隔壁３５の高さおよび多孔質層３３のＺ軸方向の膜厚は、ほぼ均一であることが好ましい。画素電極１５と対向電極２２との間の距離（いわゆるギャップ）が一定になるため、電界強度が均一化されるからである。これにより、応答速度等のムラが改善される。
【００６５】
スペーサ４０は、駆動基板１０と対向基板２０との間隔を支持するためのものである。スペーサ４０の膜厚は、例えば１０μｍ〜１００μｍであり、できるだけ、薄くすることが好ましい。これにより、消費電力を抑えることができる。スペーサ４０は、例えば、高分子材料等の絶縁性材料により構成されている。スペーサ１４０の配置形状は、特に限定されないが、泳動粒子３２の移動を妨げず、且つ、泳動粒子３２を均一分布させるように設けることが好ましい。なお、隔壁３５がスペーサ４０を兼ねるようにしてもよい。
【００６６】
（１−２．表示装置の製造方法）
本実施の形態の表示装置１は、例えば、以下の方法により製造することができる。なお、ここで説明する製造方法は一例であり、その他の方法を用いて製造してもよい。
【００６７】
まず、支持基体１１の一面にＴＦＴ１２、保護層１３、平坦化絶縁層１４および画素電極１５をこの順に形成して、駆動基板１０を作製すると共に、接着層１６を介して隔壁ユニット３８を形成する。なお、各構成要素の形成方法としては、例えば、既存の形成方法を随時選択して用いることができる。また、隔壁ユニット３８は、上記のように、熱インプリント法等を用いて樹脂を成形して隔壁３５および支持体３７を一体形成してもよいし、それらを別体形成してもよい。このとき、スペーサ４０を同時に形成するようにしてもよい。
【００６８】
続いて、隔壁ユニット３８によって形成されたセル３６内に泳動粒子３２および多孔質層３３を収容すると共に、絶縁性液体３１を注入する。多孔質層３３を形成する場合には、例えば、有機溶剤などに繊維状構造体３３１の形成材料を分散させて紡糸溶液を調製し、この紡糸溶液に非泳動粒子３３２を分散させたのち、静電紡糸法により紡糸を行う。これにより、非泳動粒子３３２が繊維状構造体３３１により保持された多孔質層３３Ｂが形成される。続いて、例えば、有機溶剤などに繊維状構造体３３１の形成材料を分散させた紡糸溶液を用いて静電紡糸法により紡糸を行う。これにより、光透過性を有する繊維状構造体３３１からなる多孔質層３３Ａが形成される。なお、この紡糸処理は、大気中で行われてもよいし、減圧雰囲気中で行われてもよい。形成後の多孔質層３３では、細孔３３３の面積占有率が全体に渡ってほぼ均一である。
【００６９】
次に、駆動基板１０と対向電極２２および接着層２３を備えた対向基板２０とを対向配置して駆動基板１０と対向基板２０とを貼り合わせる。これにより、図１に示した表示装置１（図１）が完成する。
【００７０】
（１−３．表示装置の動作）
この表示装置１は、以下のように動作する。図４Ａおよび図４Ｂは、表示装置の基本動作を説明するためのものであり、図１に対応する断面構成を表している。なお、ここでは、図示内容を簡略化するために多孔質層３３を１層とし、接着層１６および隔壁ユニット３８を省略して表している。また、泳動粒子３２も１種類で示している。
【００７１】
初期状態の表示装置１では、泳動粒子３２が待避領域Ｒ１に配置されている（図４Ａ）。この場合には、全ての画素で泳動粒子３２が多孔質層３３により隠蔽されているため、対向基板２０側から表示装置１を見ると、コントラストが生じていない（画像が表示されていない）状態にある。
【００７２】
一方、ＴＦＴ１２により画素が選択され、画素電極１５と対向電極２２との間に電界が印加されると、図５Ｂに示したように、画素毎に泳動粒子３２が待避領域Ｒ１から多孔質層３３（細孔３３３）を経由して表示領域Ｒ２に移動する。この場合には、泳動粒子３２が多孔質層３３により隠蔽されている画素と隠蔽されていない画素とが併存するため、対向基板２０側から表示装置１を見ると、コントラストが生じている状態になる。これにより、画像が表示される。
【００７３】
なお、駆動基板１０には、上記電気泳動素子３０を画素毎に駆動する（画素電極１５および対向電極２２間に駆動電圧を印加する）ための周辺回路（図示せず）が設けられている。周辺回路は、例えば、アクティブマトリクス方式の駆動回路を形成するための電圧制御用のドライバ、電源およびメモリ等を含んでおり、１または２以上の選択的なサブピクセルに対して画像信号に対応する駆動電圧を印加可能となっている。
【００７４】
本実施の形態の表示装置１は、詳細は後述するが、泳動粒子３２として、平均泳動速度の異なる泳動粒子３２Ｃ，３２Ｍ，３２Ｙを用いているため、背面Ｓ2側の表示面Ｓ1側に対する電位差を変化させることによって、泳動粒子３２Ｃ，３２Ｍ，３２Ｙの分布位置を調整することができる。これにより、本実施の形態の表示装置１では、白色（Ｗ）、シアン色（Ｃ）、マゼンダ色（Ｍ）、黄色（Ｙ）および黒色（Ｋ）の５色表示が可能となる。また、本実施の形態の表示装置１では、減法混色によってフルカラー表示も可能となる。
【００７５】
（１−４．作用・効果）
カラー表示が可能な電気泳動型ディスプレイでは、泳動速度に差のある着色粒子を用いることで、所望の色を有する着色粒子とその他の色の着色粒子との差を広げ易くし、さらに、透明電極（表示面）から裏面電極（背面）までの空間に配置した光隠蔽性の高い非泳動白色粒子によって、その他の色の着色粒子を隠蔽させることで簡単な駆動で所望の色が表示されるようになっている。しかしながら、このような構成を有する電気泳動ディスプレイでは、必ずしも所望の色の着色粒子を表示面に接する位置に留まらせることは難しい。表示面から離れた所望の色の着色粒子は、非泳動白色粒子によって隠蔽されるため、高い彩度が得られず、色再現性が低下するという問題がある。
【００７６】
これに対して本実施の形態の表示装置１では、上記のように、表示面Ｓ1側に光透過性を有する多孔質層３３Ａを配置すると共に、背面Ｓ2側に光学的反射特性を有する多孔質層３３Ｂを配置するようにした。また、絶縁性液体３１を泳動する粒子として互いに異なる光学的反射特性を有する３種類の泳動粒子３２Ｃ，３２Ｍ，３２Ｙを用いるようにした。なお、泳動粒子３２Ｃ，３２Ｍ，３２Ｙは、一例として、それぞれシアン色（泳動粒子３２Ｃ）、マゼンダ色（泳動粒子３２Ｍ）および黄色（泳動粒子３２Ｙ）に着色されている。また、多孔質層３３Ｂの光学的反射特性は、泳動粒子３２Ｃ，３２Ｍ，３２Ｙの光学的反射特性とは異なり、ここでは白色の非泳動粒子３３２を含むことで白色に着色されている。
【００７７】
図５は、表示装置１の駆動方法の一例としての背面Ｓ2側の表示面Ｓ1側に対する電位差の時間変化を表したものである。図６は、図５に示した背面Ｓ2側の表示面Ｓ1側に対する電位差の時間変化による泳動粒子３２Ｃ，３２Ｍ，３２Ｙの平均移動位置の時間変化を表したものである。なお、多孔質層３３Ａおよび多孔質層３３Ｂの膜厚は、上記計算方法を用いて設計したものであり、多孔質層３３全体の膜厚（Ｗ0）は３０μｍであり、そのうち多孔質層３３Ａの膜厚（Ｗ1）は１０μｍ、多孔質層３３Ｂの膜厚（Ｗ2）は２０μｍとなっている。なお、多孔質層３３の膜厚（Ｗ0）が駆動基板１０と対向基板２０との間の距離である。また、多孔質層３３Ａの膜厚（Ｗ１）各泳動粒子３２Ｃ，３２Ｍ，３２Ｙは、それぞれ正（＋）に帯電すると共に、表１に示した泳動速度を有するものとする。
【００７８】
【表１】
2017156569.tif 000003
【００７９】
まず、全ての泳動粒子３２Ｃ，３２Ｍ，３２Ｙを背面Ｓ2側に移動させる。このとき、表示面Ｓ1は白表示となる（起点０秒）。背面Ｓ2側の電位を高くすると、正に帯電している泳動粒子３２Ｃ，３２Ｍ，３２Ｙは、表示面Ｓ1側に移動を始める。最も泳動速度の速い泳動粒子３２Ｃが表示面Ｓ1に到達した時点で電位差を０にすることで、泳動粒子３２Ｃよりも泳動速度の遅い泳動粒子３２Ｍ，３２Ｙは、多孔質層３３Ｂ中に位置するため、泳動粒子３２Ｍ，３２Ｙは多孔質層３３Ｂによって隠蔽される。これにより、表示面Ｓ1の表示色はシアン色（Ｃ）になる。
【００８０】
続いて、背面Ｓ2側の電位を高くすると、表示面Ｓ1と背面Ｓ2との間にとどまっていた泳動粒子３２Ｍ，３２Ｙが表示面Ｓ1に向かって移動する。泳動粒子３２Ｍが表示面Ｓ1に到達した時点で背面Ｓ2側の電位を反転させ、表示面Ｓ1に対して電位を低くすると、最も泳動速度の速い泳動粒子３２Ｃが泳動粒子３２Ｍよりも早く背面Ｓ2側に移動する。泳動粒子３２Ｃが背面Ｓ2に到達した時点で電位差を０にすると、泳動粒子３２Ｃ，３２Ｍ，３２Ｙは、表示面Ｓ1側から泳動粒子３２Ｍ，泳動粒子３２Ｙ，泳動粒子３２Ｃの順に分布する。このとき、泳動粒子３２Ｍは光透過性を有する多孔質層３３Ａ中に、泳動粒子３２Ｙ，３２Ｃは多孔質層３３Ｂ中に位置するため、泳動粒子３２Ｙ，３２Ｃは多孔質層３３Ｂによって隠蔽され、表示面Ｓ1の表示色はマゼンダ色（Ｍ）になる。なお、泳動粒子３２Ｍは、最も泳動速度の遅い泳動粒子３２Ｙが多孔質層３２Ｂによって隠蔽されるまでの間に、背面Ｓ2に向かって移動してしまうが、本実施の形態では、表示面Ｓ1側に光透過性を有する多孔質層３３Ａを配置しているため、その彩度が確保される。
【００８１】
次に、再度背面Ｓ2側の電位を表示面Ｓ1側に対して高くすると表示面Ｓ1側に全ての泳動粒子３２Ｃ，３２Ｍ，３２Ｙは表示面Ｓ1に到達する。この時、泳動粒子３２Ｃ，３２Ｍ，３２Ｙは、表示面Ｓ1側の多孔質層３３Ａ中で減法混色し、表示面Ｓ1は黒表示となる。本実施の形態では、表示面Ｓ1側に光透過性を有する多孔質層３３Ａを配置しているため、減法混色が効率よく行われ、コントラストの高い表示が得られる。
【００８２】
続いて、表示面Ｓ1側の電位を高くすると全ての泳動粒子３２Ｃ，３２Ｍ，３２Ｙが背面Ｓ2側に向かって移動する。泳動粒子３２Ｍが背面Ｓ2側に到達した時点で電位差を０とすると、泳動粒子３２Ｙと泳動粒子３２Ｃ，３２Ｍとの距離が保たれた状態となる。このとき泳動粒子３２Ｃ，３２Ｍは多孔質層３３Ｂに隠蔽され、泳動粒子３２Ｙは多孔質層３３Ａ中に位置するため、表示面Ｓ1の表示色は黄色（Ｙ）となる。
【００８３】
このように、背面Ｓ2側の表示面Ｓ1側に対する電位差を変化させることによって、多色表示、ここでは白色（Ｗ）、シアン色（Ｃ）、マゼンダ色（Ｍ）、黄色（Ｙ）および黒色（Ｋ）の５色表示が可能となる。また、中間調についても同様の方法によって表示が可能となる。更に、減法混色によってフルカラー表示も可能となる。
【００８４】
以上のように、本実施の形態の表示装置１では、絶縁性液体３１中を泳動する泳動粒子として、互いに異なる光学的反射特性を有する３種類の泳動粒子３２Ｃ，３２Ｍ，３２Ｙを用いるようにした。また、多孔質層３３を、光透過性を有する多孔質層３３Ａと、泳動粒子３２Ｃ，３２Ｍ，３２Ｙとは異なる光学的反射特性を有する多孔質層３３Ｂとから構成し、表示面Ｓ1側に多孔質層３３Ａを配置するようにした。これにより、表示面Ｓ1と背面Ｓ2との間における泳動粒子３２Ｃ，３２Ｍ，３２Ｙの分布順列を制御して所望の表示色を表示する際に、所望の表示色を有する泳動粒子（例えば、泳動粒子３２Ｍ）が表示面Ｓ1から離れた位置に分布しても、泳動粒子３２Ｍが多孔質層３３Ｂによって隠蔽されて彩度が低下することを防ぐことが可能となる。よって、色再現性の高い表示装置１を提供することが可能となる。
【００８５】
＜２．適用例＞
次に、上記実施の形態において説明した表示装置（表示装置１）の適用例について説明する。ただし、以下で説明する電子機器の構成はあくまで一例であり、その構成は適宜変更可能である。上記の表示装置１は、各種の電子機器あるいは服飾品の一部に適用可能であり、その電子機器等の種類は特に限定されない。
【００８６】
（適用例１）
図７Ａおよび図７Ｂは、電子ブックの外観構成を表している。この電子ブックは、例えば、表示部１１０および非表示部１２０と、操作部１３０とを備えている。なお、操作部１３０は、図７Ａに示したように非表示部１２０の前面に設けられていてもよいし、図７Ｂに示したように上面に設けられていてもよい。表示部１１０が表示装置１により構成される。なお、表示装置１は、図７Ａおよび図７Ｂに示した電子ブックと同様の構成を有するＰＤＡ（Personal Digital Assistants）等に搭載されてもよい。
【００８７】
（適用例２）
図８は、タブレットパーソナルコンピュータの外観を表したものである。このタブレットパーソナルコンピュータは、例えば、タッチパネル部３１０および筐体３２０を有しており、タッチパネル部３１０が上記表示装置１により構成されている。
【００８８】
（適用例３）
上記の表示装置１は、いわゆるウェアラブル端末として、例えば時計（腕時計）、鞄、衣服、帽子、眼鏡および靴等の服飾品の一部に適用することも可能である。以下に、そのような服飾品一体型の電子機器の一例を示す。
【００８９】
図９Ａおよび図９Ｂは、電子時計（腕時計一体型電子機器）の外観を表したものである。この電子時計は、例えば文字盤（文字情報表示部分）４１０とバンド部（色柄表示部分）４２０とを有しており、これらの文字盤４１０とバンド部４２０とが上記表示装置１を含んで構成されている。文字盤４１０には、上述の電気泳動素子を用いた表示駆動により、図９Ａおよび図９Ｂのように、例えば様々な文字や図柄が表示される。バンド部４２０は、例えば腕等に装着可能な部位である。このバンド部４２０において、表示装置１が用いられることで、様々な色柄を表示することができ、図９Ａの例から図９Ｂの例のように、バンド部４２０の意匠を変更することができる。ファッション用途においても有用な電子デバイスを実現可能となる。
【００９０】
以上、一実施の形態を挙げて説明したが、本開示内容は上記実施の形態で説明した態様に限定されず、種々の変形が可能である。例えば、上記実施の形態では、繊維状構造体３３１は光透過性（無色透明）を有することが好ましいとしたが、例えば、多孔質層３３Ｂを構成する繊維状構造体３３１は、自身が泳動粒子３２を隠蔽可能となるような光反射性を有する材料で形成するようにしてもよい。
【００９１】
また、上記実施の形態では、多孔質層３３を、光透過性を有する多孔質層３３Ａと、泳動粒子３２Ｃ，３２Ｍ，３２Ｙとは異なる光学的反射特性を有する多孔質層３３Ｂとの２層構造を例に挙げたが、これ以外の層を有していてもよい。例えば、多孔質層３３Ｂを複数層によって構成し、それぞれ細孔３３３の平均孔径が表示面Ｓ1側から順に小さくなるように配置してもよい。また、その逆でもよい。
【００９２】
更に、上記実施の形態では、表示素子として、絶縁性液体３１、泳動粒子３２Ｃ，３２Ｍ，３２Ｙおよび多孔質層３３を備えた電気泳動素子３０を例示したが、電気泳動素子３０の構成は、このような多孔質層３３を用いたものに限定されず、電気泳動現象を利用して画素毎に光反射によるコントラスト形成が可能なものであればよい。また、上記実施の形態では、泳動粒子として、それぞれ、シアン色、マゼンダ色、黄色に着色された泳動粒子３２Ｃ，３２Ｍ，３２Ｙを用いた例を示したがこれに限らず、例えば、緑色、青色、白色、黒色等の色に着色された粒子を用いてもよい。
【００９３】
なお、本明細書中に記載された効果はあくまで例示であって限定されるものではなく、また、他の効果があってもよい。
【００９４】
なお、本開示は以下のような構成を取ることも可能である。
（１）
絶縁性液体中に、
選択的な光学的透過特性を有する２種以上の泳動粒子と、
繊維状構造体により形成され、光透過性を有すると共に、表示面側に配置された第１層と、前記泳動粒子とは異なる光学的反射特性を有すると共に、背面側に配置された第２層とを含む多孔質層と
を備えた表示装置。
（２）
前記多孔質層の膜厚（Ｗ0）に対する前記第１層の膜厚（Ｗ1）は、前記多孔質層の膜厚（Ｗ0）／前記泳動粒子の種数である、前記（１）に記載の表示装置。
（３）
前記２種以上の泳動粒子は、互いに異なる泳動速度を有する、前記（１）または（２）に記載の表示装置。
（４）
前記泳動粒子として、互いに泳動速度の異なる３種類の泳動粒子を用いた場合、
前記３種類の泳動粒子の中で１番速く移動する泳動粒子の泳動速度をＶ１、２番目に速く移動する泳動粒子の泳動速度をＶ２、３番目に速く移動する泳動粒子の泳動速度をＶ３とすると、
前記多孔質層の膜厚（Ｗ0）に対する前記第１層の膜厚（Ｗ1）は、Ｗ0×（Ｖ２／Ｖ１）およびＷ0×（Ｖ３／Ｖ２）のうちの大きい方の数値である、前記（１）または（３）に記載の表示装置。
（５）
前記２種以上の泳動粒子は、同じ電荷を有すると共に互いに異なる帯電量を有する、前記（１）乃至（４）のうちのいずれか１に記載の表示装置。
（６）
前記第２層は、前記泳動粒子とは異なる光学的反射特性を有する非泳動粒子を含む、前記（１）乃至（５）のうちのいずれか１に記載の表示装置。
（７）
前記第１層は、可視光を反射しない粒子を含む、前記（１）乃至（６）のうちのいずれか１に記載の表示装置。
（８）
前記可視光を反射しない粒子は、粒径が２５０ｎｍ以下のチタニア（ＴｉＯ2）である、前記（７）に記載の表示装置。
（９）
前記２種以上の泳動粒子は、シアン色、マゼンダ色、黄色、緑色、青色、白色および黒色のうちの１色または２色以上から選択された色を有する、前記（１）乃至（８）のうちのいずれか１に記載の表示装置。
（１０）
前記非泳動粒子は、前記繊維状構造体によって保持されている、前記（６）乃至（９）のうちのいずれか６に記載の表示装置。
（１１）
表示装置を備え、
前記表示装置は、絶縁性液体中に、
選択的な光学的透過特性を有する２種以上の泳動粒子と、
繊維状構造体により形成され、光透過性を有すると共に、表示面側に配置された第１層と、前記泳動粒子とは異なる光学的反射特性を有すると共に、背面側に配置された第２層とを含む多孔質層と
を有する電子機器。
【符号の説明】
【００９５】
１…表示装置、１０…駆動基板、１１…支持基体、１２…ＴＦＴ、１３…保護層、１４平坦化絶縁層、１５…画素電極、１６，２３…接着層、２０…対向基板、２１…支持基体、２２…対向電極、３０…電気泳動素子、３１…絶縁性液体、３２（３２Ｃ，３２Ｍ，３２Ｙ）…泳動粒子、３３（３３Ａ，３３Ｂ）…多孔質層、３４…セル、３５…隔壁３５…セル、３７…支持体、３８…隔壁ユニット、４０…スペーサ、３３１…繊維状構造体、３３２…非泳動粒子、３３３…細孔。
【図１】
2017156569.tif 000004
【図２】
2017156569.tif 000005
【図３】
2017156569.tif 000006
【図４Ａ】
2017156569.tif 000007
【図４Ｂ】
2017156569.tif 000008
【図５】
2017156569.tif 000009
【図６】
2017156569.tif 000010
【図７Ａ】
2017156569.tif 000011
【図７Ｂ】
2017156569.tif 000012
【図８】
2017156569.tif 000013
【図９Ａ】
2017156569.tif 000014
【図９Ｂ】
2017156569.tif 000015